(57)【要約】一般式（１）で表される、臨界ミセル濃度（ＣＭＣ）が０．１０ｇ／Ｌ以下である界面活性剤（ａ）。  Ｒ１−［−Ｏ−（Ａ１Ｏ）ｎ−Ｈ］ｍ    （１）［一般式（１）において、Ｒ１は、炭素数７〜２０のｍ価の炭化水素基を表し；ｍは２〜６の整数であり；ｍ個ある（Ａ１Ｏ）ｎにおけるＡ１は、それぞれ独立に炭素数２〜４のアルキレン基を表し；ｍ個あるｎはそれぞれ独立に１〜１００の整数であり；ｍ個あるｎの合計値は１３以上である。］【特許請求の範囲】
【請求項１】
一般式（１）で表される、臨界ミセル濃度（ＣＭＣ）が０．１０ｇ／Ｌ以下である界面活性剤（ａ）。
Ｒ１−［−Ｏ−（Ａ１Ｏ）ｎ−Ｈ］ｍ    （１）
［一般式（１）において、Ｒ１は、炭素数７〜２０のｍ価の炭化水素基を表し；ｍは２〜６の整数であり；ｍ個ある（Ａ１Ｏ）ｎにおけるＡ１は、それぞれ独立に炭素数２〜４のアルキレン基を表し；ｍ個あるｎはそれぞれ独立に１〜１００の整数であり；ｍ個あるｎの合計値は１３以上である。］
【請求項２】
前記一般式（１）において、Ｒ１中の酸素原子と結合しているｍ個の炭素原子の内、少なくとも１個の炭素原子が、２級炭素原子である請求項１に記載の界面活性剤。
【請求項３】
前記一般式（１）において、Ｒ１が炭素数７〜２０のアルキレン基を表し、ｍが２である請求項１又は２に記載の界面活性剤。
【請求項４】
請求項１〜３のいずれか１項に記載の界面活性剤を含有する洗浄剤。
【請求項５】
更に一般式（２）で表される界面活性剤（ｂ）を含有する請求項４に記載の洗浄剤。
Ｒ２−Ｘ−（Ａ２Ｏ）ｐ−Ｈ    （２）
［一般式（２）において、Ｒ２は、炭素数１０〜１８の１価の炭化水素基を表し；Ｘは、−ＣＯＯ−又は−Ｏ−を表し；Ａ２は、それぞれ独立に炭素数２〜４のアルキレン基を表し；ｐは１〜３０の整数である。］
【発明の詳細な説明】
【技術分野】
【０００１】
本発明は界面活性剤及び界面活性剤を含有する洗浄剤に関する。
【背景技術】
【０００２】
従来、高級アルコールにアルキレンオキサイドを付加重合して得られる界面活性剤や脂肪族アミンにアルキレンオキサイドを付加重合して得られる界面活性剤は、優れた界面活性能を発揮し、広範な用途分野で幅広く使用されてきた。しかしながら近年、洗浄剤のように環境や生態系への配慮が必要な分野において使用される界面活性剤の環境や生態系への悪影響が懸念されており、少量でも優れた洗浄力を発揮する界面活性剤が要求されている。【０００３】
従来の高級アルコールにアルキレンオキサイドを付加重合して得られる界面活性剤としては、脂肪族アルコールを出発物質としたエチレンオキサイド付加体、脂肪族アルコールにエチレンオキサイド、次いでプロピレンオキサイド、次いでエチレンオキサイドをブロック付加したアルキレンオキサイド付加体（特許文献１）、並びに脂肪族アルコールにエチレンオキサイド及びプロピレンオキサイドの混合物をランダム付加させ、次いでエチレンオキサイドをブロック付加したアルキレンオキサイド付加体（特許文献２）等種々のポリオキシアルキレンアルキルエーテルが提案されている。
また、アルキルアミンにアルキレンオキサイドを付加重合して得られる界面活性剤においても、種々のポリオキシアルキレンアルキルアミンが提案されている。（特許文献３及び４）
しかし、特許文献１及び２に記載のポリオキシアルキレンアルキルエーテルは、低濃度での洗浄力は不十分である。また、特許文献３及び４に記載のポリオキシアルキレンアルキルアミンは単独では低濃度での洗浄力には優れるものの、洗浄剤として広く使用されるアニオン界面活性剤と併用した際にはアミン−アニオン基間で複合体を形成し、洗浄力が低下する。更にポリオキシアルキレンアルキルアミンは生分解性に劣るという問題があった。
【先行技術文献】
【特許文献】
【０００４】
【特許文献１】特開２０１１−０２１１３８号公報
【特許文献２】特開平７−１２６６９０号公報
【特許文献３】特許第４４２９０００号公報
【特許文献４】特許第４７７８９２５号公報
【発明の概要】
【発明が解決しようとする課題】
【０００５】
本発明の課題は、低濃度における洗浄力に優れ、アニオン界面活性剤と併用した際にも優れた洗浄力を発揮する界面活性剤を提供することにある。
【課題を解決するための手段】
【０００６】
本発明者らは、上記の課題を解決すべく鋭意検討した結果、本発明に到達した。
即ち本発明は、一般式（１）で表される、臨界ミセル濃度（ＣＭＣ）が０．１０ｇ／Ｌ以下である界面活性剤（ａ）；前記界面活性剤（ａ）を含有する洗浄剤である。
Ｒ１−［−Ｏ−（Ａ１Ｏ）ｎ−Ｈ］ｍ    （１）
［一般式（１）において、Ｒ１は、炭素数７〜２０のｍ価の炭化水素基を表し；ｍは２〜６の整数であり；ｍ個ある（Ａ１Ｏ）ｎにおけるＡ１は、それぞれ独立に炭素数２〜４のアルキレン基を表し；ｍ個あるｎはそれぞれ独立に１〜１００の整数であり；ｍ個あるｎの合計値は１３以上である。］
【発明の効果】
【０００７】
本発明の界面活性剤は、低濃度における洗浄力に優れ、アニオン界面活性剤と併用した際にも優れた洗浄力を発揮するという効果を有する。
【発明を実施するための形態】
【０００８】
本発明の界面活性剤（ａ）は、上記の一般式（１）で表される。
【０００９】
上記の一般式（１）において、Ｒ１は、炭素数７〜２０のｍ価の炭化水素基を表す。
炭素数７〜２０のｍ価の炭化水素基としては、炭素数７〜２０の多価アルコールから、ｍ個の水酸基を除去した残基が挙げられる。
【００１０】
炭素数７〜２０の多価アルコールとしては、炭素数７〜２０の飽和多価アルコール及び炭素数７〜２０の不飽和多価アルコール等が挙げられる。
炭素数７〜２０の飽和多価アルコールとして好ましいものとしては、炭素数７〜２０の飽和鎖状脂肪族多価アルコールが挙げられ、ヘプタンジオール、オクタンジオール、ノナンジオール、デカンジオール、ウンデカンジオール、ドデカンジオール、トリデカンジオール、テトラデカンジオール、ペンタデカンジオール、ヘキサデカンジオール、ヘプタデカンジオール、オクタデカンジオール、ノナデカンジオール、イコサンジオール、２，２−ジエチル−１，３−プロパンジオール及び１，２，１０−デカントリオール等が挙げられる。
炭素数７〜２０の不飽和多価アルコールとして好ましいものとしては、炭素数７〜２０の不飽和鎖状脂肪族多価アルコールが挙げられ、へプテンジオール、オクテンジオール、デセンジオール及びイコセンジオール等が挙げられる。
【００１１】
前記の炭素数７〜２０の多価アルコールの内、洗浄力の観点から好ましいのは、ヒドロキシ基が結合している炭素原子の内、少なくとも１個の炭素原子が、３級炭素原子であるアルコール（１，２−ドデカンジオール等）が好ましい。
【００１２】
前記の炭素数７〜２０のｍ価の炭化水素基の内、洗浄力の観点から、炭素数７〜２０のアルキレン基（炭素数７〜２０の飽和鎖状脂肪族２価アルコールから２個の水酸基を除去した残基）が好ましく、更に好ましいのは、炭素数１０〜１６のアルキレン基（炭素数１０〜１６の飽和鎖状脂肪族２価アルコールから２個の水酸基を除去した残基）である。
【００１３】
上記の一般式（１）において、Ｒ１中の酸素原子と結合しているｍ個の炭素原子の内、２級炭素原子の数は、洗浄力の観点から、１個以上であることが好ましく、更に好ましくは１個である。
【００１４】
上記の一般式（１）において、ｍ個あるｎはそれぞれ独立に１〜１００の整数である。
また、ｍは２〜６の整数であり、洗浄力の観点から、２であることが好ましい。
また、ｍ個あるｎの合計値［後に詳述する界面活性剤（ａ）の製造方法において、炭素数７〜２０の多価アルコールに対する炭素数２〜４のアルキレンオキサイドの付加モル数に相当する］は、１３以上である。
ｍ個あるｎの合計値が１３未満であると、洗浄力が悪化する。
ｍ個あるｎの合計値は、更に洗浄力を高める観点から、好ましくは１５〜１００であり、特に好ましくは３０〜７０である。
【００１５】
上記の一般式（１）中、ｍ個ある（Ａ１Ｏ）ｎにおけるＡ１は、それぞれ独立に炭素数２〜４のアルキレン基を表す。
炭素数２〜４のアルキレン基としては、エチレン基、１，２−又は１，３−プロピレン基及び１，２−、１，３−、１，４−又は２，３−ブチレン基等が挙げられる。
前記のＡ１は、洗浄力の観点から、１，２−プロピレン基及び１，２−ブチレン基、１，３−ブチレン基及び２，３−ブチレン基からなる群から選ばれる少なくとも１種と、エチレン基とを併用することが好ましい。
【００１６】
前記界面活性剤（ａ）の臨界ミセル濃度（ＣＭＣ）は、０．１０ｇ／Ｌ以下である。
前記界面活性剤（ａ）のＣＭＣが０．１０ｇ／Ｌを超えると、洗浄力、特に後述の洗浄剤を低濃度で用いる際の洗浄力が悪化する。
前記界面活性剤（ａ）のＣＭＣは、特に後述の洗浄剤を低濃度で用いる際の洗浄力を更に向上させる観点から、０．０８ｇ／Ｌ以下であることが好ましい。
なお、前記の界面活性剤（ａ）のＣＭＣは、以下の表面張力法により測定することができる。
２５℃にて任意の濃度の界面活性剤（ａ）水溶液の表面張力（ｍＮ／ｍ）を懸滴法（ペンダント・ドロップ法）にて測定し、横軸を界面活性剤（ａ）水溶液の濃度（ｇ／Ｌ）、縦軸を表面張力（ｍＮ／ｍ）としてグラフを作成し、得られた表面張力−濃度曲線からＣＭＣ（単位：ｇ／Ｌ）を求めることができる。
なお、懸滴法による表面張力測定には、全自動界面張力計ＰＤ−Ｗ［協和界面科学（株）製］等を用いることができる。
【００１７】
前記の界面活性剤（ａ）のＨＬＢ（Ｈｙｄｒｏｐｈｉｌｅ−Ｌｉｐｏｐｈｉｌｅ  Ｂａｌａｎｃｅ）値は、洗浄力の観点から、１１〜１７であることが好ましく、更に好ましくは１３〜１５である。
ここでＨＬＢ値とは、親水性及び疎水性を示す尺度である。本願におけるＨＬＢ値は小田法による計算値であり、グリフィン法による計算値ではない。前記小田法は、例えば「界面活性剤入門」〔２００７年三洋化成工業株式会社発行、藤本武彦著〕２１２頁に記載されている方法である。
ＨＬＢの値は前記「界面活性剤入門」２１３頁に記載の表における有機性の値と無機性の値との比率から計算することができる。
ＨＬＢ≒１０×無機性／有機性
【００１８】
本発明の界面活性剤（ａ）の製造方法としては、公知の方法で、炭素数７〜２０の多価アルコールに、炭素数２〜４のアルキレンオキサイド（エチレンオキサイド、１，２−又は１，３−プロピレンオキサイド及び１，２−、１，３−、１，４−又は２，３−ブチレンオキサイド等）を付加する方法等が挙げられる。
非イオン界面活性剤において、炭素数２〜４のアルキレンオキサイドに該当するエチレンオキサイドの付加モル数が上昇すると、ＣＭＣも上昇することが経験的に知られている［Ｌ．Ｈｓｉａｏ，Ｈ．Ｎ．Ｄｕｎｎｉｎｇ，Ｐ．Ｂ．Ｌｏｒｅｎｚ，Ｊ．Ｐｈｙｓ．Ｃｈｅｍ．，６０、６５７（１９５６）参照］。
しかしながら、本発明の界面活性剤（ａ）は非イオン界面活性剤であるにも関わらず、炭素数７〜２０の多価アルコールに付加させる炭素数２〜４のアルキレンオキサイドの付加モル数を比較的多くすることで（具体的には１３モル以上とすることで）、ＣＭＣを十分低下させることができ、上記のＣＭＣの範囲内に調整することができることを見出した。
また、ＣＭＣを十分低下させる観点からは、炭素数７〜２０の多価アルコールとして、Ｒ１の説明において好ましいものとして挙げた炭素数７〜２０の多価アルコールを用いることが好ましい。
【００１９】
本発明の界面活性剤（ａ）は、後に詳述する洗浄剤に含有させた場合、低濃度における洗浄力に優れ、洗浄剤として広く使用されるアニオン界面活性剤と併用した際にも優れた洗浄力を発揮するため、洗浄剤の用途に、特に衣料用洗浄剤の用途に有用である。
【００２０】
本発明の洗浄剤は、界面活性剤（ａ）を含有する。界面活性剤（ａ）は、１種を単独で用いても、２種以上を併用してもよい。
本発明の洗浄剤において、界面活性剤（ａ）を２種以上含有する場合、界面活性剤（ａ）に該当する各界面活性剤（ａ）のＣＭＣ（ｇ／Ｌ）をその重量比率に基づいて加重平均した値は、０．１０ｇ／Ｌ以下になるが、洗浄剤を低濃度で用いる際の洗浄力を更に向上させる観点から、０．０８ｇ／Ｌ以下であることが好ましい。
また、本発明の洗浄剤において、界面活性剤（ａ）を２種以上含有する場合、界面活性剤（ａ）に該当する各界面活性剤（ａ）のＨＬＢ値をその重量比率に基づいて加重平均した値は、洗浄力の観点から、１１〜１７であることが好ましく、更に好ましくは１３〜１５である。
【００２１】
また、本発明の洗浄剤は、更に洗浄力を高める観点から、上記の界面活性剤（ａ）以外に、下記一般式（２）で表される界面活性剤（ｂ）を含有することが好ましい。
Ｒ２−Ｘ−（Ａ２Ｏ）ｐ−Ｈ    （２）
【００２２】
上記の一般式（２）において、Ｒ２は、炭素数１０〜１８の１価の炭化水素基を表す。
前記の炭素数１０〜１８の１価の炭化水素基としては、炭素数１０〜１８の１価の鎖状脂肪族炭化水素基［炭素数１０〜１８の１価の飽和鎖状脂肪族炭化水素基（デシル基、ラウリル基、ミリスチル基、パルミチル基及びステアリル基等）及び炭素数１０〜１８の１価の不飽和鎖状脂肪族炭化水素基（デセニル基、ドデセニル基及びオレイル基等）等］、炭素数１０〜１８の１価の脂環式炭化水素基（シクロデシル基及びシクロドデシル等）及び炭素数１０〜１８の１価の芳香族炭化水素基（ナフタレン基及びアントラセン基等）等が挙げられる。
【００２３】
上記の一般式（２）において、Ｘは、−ＣＯＯ−又は−Ｏ−を表す。
【００２４】
上記の一般式（２）において、Ａ２は、それぞれ独立に炭素数２〜４のアルキレン基を表す。
【００２５】
上記の一般式（２）において、ｐは１〜３０の整数である。
【００２６】
本発明の洗浄剤は、ポリオキシアルキレン鎖を一分子につき２本以上有する界面活性剤（ａ）と、ポリオキシアルキレン鎖を一分子につき１本有する界面活性剤（ｂ）とを併用することで、洗浄力、特に洗浄剤を低濃度で用いる際の洗浄力を飛躍的に向上させることができる。
前記の界面活性剤（ｂ）は、１種を単独で用いても、２種以上を併用してもよい。
【００２７】
本発明における界面活性剤（ｂ）は、公知の方法で、炭素数１０〜１８の１価の炭化水素基と水酸基とが結合したアルコール又は炭素数１０〜１８の１価の炭化水素基とカルボキシ基とが結合したカルボン酸に、炭素数２〜４のアルキレンオキサイド（エチレンオキサイド、プロピレンオキサイド及びブチレンオキサイド等）を付加して得ることができる。
【００２８】
また、本発明の洗浄剤が、界面活性剤（ｂ）を更に含有する場合、界面活性剤（ａ）のＨＬＢ値と界面活性剤（ｂ）のＨＬＢ値の平均値［界面活性剤（ａ）に該当する各界面活性剤（ａ）及び界面活性剤（ｂ）に該当する各界面活性剤（ｂ）のＨＬＢ値をその重量比率に基づいて加重平均して計算した値］が、１２〜１５であることが好ましい。
ＨＬＢ値の平均値が上記の好ましい値であると、洗浄力を更に向上させることができる。
【００２９】
本発明の洗浄剤は、前記の界面活性剤（ａ）及び界面活性剤（ｂ）以外にも、アニオン界面活性剤（ｃ）を含有していてもよい。
前記のアニオン界面活性剤（ｃ）としては、スルホン酸塩、硫酸塩及びアルキル脂肪酸塩等が挙げられ、洗浄力の観点から好ましいのは、炭素数１０〜１００のアニオン界面活性剤であり、更に好ましいのは炭素数１０〜２５のアニオン界面活性剤である。
スルホン酸塩としては、直鎖アルキルベンゼンスルホン酸ナトリウム等が挙げられ、例えばドデシルベンゼンスルホン酸ナトリウム及びテトラデシルベンゼンスルホン酸ナトリウム等が挙げられる。
硫酸塩としては、ラウリル硫酸ナトリウム及びポリオキシエチレンラウリルエーテル硫酸ナトリウム等が挙げられる。
アルキル脂肪酸塩としてはラウリン酸モノエタノールアミン塩及びラウリン酸ジエタノールアミン塩等が挙げられる。
アニオン界面活性剤（ｃ）は、１種を単独で用いても、２種以上を併用しても良い。
【００３０】
本発明の洗浄剤には、その他の成分として溶剤（水、エタノール、イソプロパノール、エチレングリコール、プロピレングリコール及びグリセリン等）、再汚染防止剤（ポリアクリル酸ナトリウム、ポリエチレングリコール及びカルポキシメチルセルロース等）、蛍光増白剤（オキサゾール系化合物、クマリン系化合物、スチルベン系化合物、イミダゾール系化合物及びトリアゾール系化合物等）、色素、香料、抗菌防腐剤、消泡剤（シリコーン等）、ｐＨ調整剤（炭酸ナトリウム、ケイ酸ナトリウム及びクエン酸等）、キレート剤（クエン酸、エデト酸ナトリウム及びエチドロン酸ナトリウム等）及び酵素（セルラーゼ、プロテアーゼ及びリパーゼ等）等を含んでもよい。
【００３１】
本発明の洗浄剤が含有する界面活性剤（ａ）の重量割合は、洗浄力及び配合時のゲル化又はケーキングの抑制の観点から、洗浄剤の重量を基準として１〜７０重量％であることが好ましく、更に好ましくは５〜５０重量％であり、特に好ましくは１０〜３０重量％である。
【００３２】
本発明の洗浄剤が含有する界面活性剤（ｂ）と界面活性剤（ａ）との重量比率［（ｂ）／（ａ）］は、洗浄力の観点から０〜１０であることが好ましく、更に好ましくは０．１７〜５．７であり、特に好ましくは０．２０〜５．５であり、最も好ましくは０．２５〜４．０である。
【００３３】
本発明の洗浄剤が含有するアニオン界面活性剤（ｃ）と界面活性剤（ａ）との重量比率［（ｃ）／（ａ）］は、洗浄力の観点から０〜１０であることが好ましく、更に好ましくは０．２５〜４である。
【００３４】
本発明の洗浄剤は、例えば以下の方法を選択して製造することができる。
具体的に、洗浄剤の性状が液体状の場合は、撹拌機及び加熱冷却装置を備えた混合槽に、界面活性剤（ａ）、界面活性剤（ｂ）、アニオン界面活性剤（ｃ）及びその他の成分等を投入順序に特に制限なく投入し、１０〜５０℃で均一になるまで撹拌して製造する方法等が挙げられる。
【００３５】
本発明の洗浄剤は、低濃度における洗浄力に優れ、洗浄剤として広く使用されるアニオン界面活性剤を含む場合でも優れた洗浄力を発揮し、衣料用洗浄剤として特に有用である。
【実施例】
【００３６】
以下本発明を実施例により具体的に説明するが、本発明はこれらの実施例に限定されるものではない。
尚、以下において部は重量部を表す。【００３７】
＜実施例１：界面活性剤（ａ１）の製造＞
撹拌機、温度計、圧力計、耐圧滴下ボンベ、減圧及び窒素導入ラインの付いた２Ｌオートクレーブ中に１，２−ドデカンジオール２０２部（１モル部）、水酸化カリウム１．４部を加え撹拌を開始し窒素封入し１３０℃に昇温した後、圧力−０．１ＭＰａＧで１時間脱水した。次いで１６０℃に昇温し、圧力０．３ＭＰａＧ以下でエチレンオキサイド１４１０部（３２モル部）と１，２−プロピレンオキサイド６９７部（１２モル部）の混合物を８時間かけて逐次滴下し、同温度で圧平衡になるまで１時間撹拌した。次いでエチレンオキサイド４４０部（１０モル部）を３時間かけて逐次滴下し、同温度で圧平衡になるまで１時間撹拌した。その後６０℃に冷却し、酢酸１．０部で中和し、界面活性剤（ａ１）を得た。【００３８】
＜実施例２：界面活性剤（ａ２）の製造＞
撹拌機、温度計、圧力計、耐圧滴下ボンベ、減圧及び窒素導入ラインの付いた２Ｌオートクレーブ中に１，２−ドデカンジオール２０２部（１モル部）、水酸化カリウム０．４３部を加え撹拌を開始し窒素封入し１３０℃に昇温した後、圧力−０．１ＭＰａＧで１時間脱水した。次いで１６０℃に昇温し、圧力０．３ＭＰａＧ以下でエチレンオキサイド６６１部（１５モル部）を５時間かけて逐次滴下し、同温度で圧平衡になるまで１時間撹拌した。その後６０℃に冷却し、酢酸０．３２部で中和し、界面活性剤（ａ２）を得た。【００３９】
＜実施例３：界面活性剤（ａ３）の製造＞
撹拌機、温度計、圧力計、耐圧滴下ボンベ、減圧及び窒素導入ラインの付いた２Ｌオートクレーブ中に１，２−ドデカンジオール２０２部（１モル部）、水酸化カリウム０．６４部を加え撹拌を開始し窒素封入し１３０℃に昇温した後、圧力−０．１ＭＰａＧで１時間脱水した。次いで１６０℃に昇温し、圧力０．３ＭＰａＧ以下でエチレンオキサイド８３７部（１９モル部）を６時間かけて逐次滴下し、同温度で圧平衡になるまで１時間撹拌した。次いで１，２−プロピレンオキサイド２３２部（４モル部）を３時間かけて逐次滴下し、同温度で圧平衡になるまで１時間撹拌した。その後６０℃に冷却し、酢酸０．４８部で中和し、界面活性剤（ａ３）を得た。【００４０】
＜実施例４：界面活性剤（ａ４）の製造＞
撹拌機、温度計、圧力計、耐圧滴下ボンベ、減圧及び窒素導入ラインの付いた２Ｌオートクレーブ中に１，２−ヘキサデカンジオール２５８部（１モル部）、水酸化カリウム０．４３部を加え撹拌を開始し窒素封入し１３０℃に昇温した後、圧力−０．１ＭＰａＧで１時間脱水した。次いで１６０℃に昇温し、圧力０．３ＭＰａＧ以下でエチレンオキサイド８８１部（２０モル部）を５時間かけて逐次滴下し、同温度で圧平衡になるまで１時間撹拌した。その後６０℃に冷却し、酢酸０．３２部で中和し、界面活性剤（ａ４）を得た。【００４１】
＜実施例５：界面活性剤（ａ５）の製造＞
撹拌機、温度計、圧力計、耐圧滴下ボンベ、減圧及び窒素導入ラインの付いた２Ｌオートクレーブ中に１，２−テトラデカンジオール２３０部（１モル部）、水酸化カリウム１．４部を加え撹拌を開始し窒素封入し１３０℃に昇温した後、圧力−０．１ＭＰａＧで１時間脱水した。次いで１６０℃に昇温し、圧力０．３ＭＰａＧ以下でエチレンオキサイド３３０５部（７５モル部）及び１，２−プロピレンオキサイド１４５２部（２５モル部）の混合物を８時間かけて逐次滴下し、同温度で圧平衡になるまで１時間撹拌した。その後６０℃に冷却し、酢酸１．０部で中和し、界面活性剤（ａ５）を得た。【００４２】
＜実施例６：界面活性剤（ａ６）の製造＞
撹拌機、温度計、圧力計、耐圧滴下ボンベ、減圧及び窒素導入ラインの付いた２Ｌオートクレーブ中に１，２−デカンジオール１７４部（１モル部）、水酸化カリウム０．４３部を加え撹拌を開始し窒素封入し１３０℃に昇温した後、圧力−０．１ＭＰａＧで１時間脱水した。次いで１６０℃に昇温し、圧力０．３ＭＰａＧ以下でエチレンオキサイド６６１部（１５モル部）を５時間かけて逐次滴下し、同温度で圧平衡になるまで１時間撹拌した。その後６０℃に冷却し、酢酸０．３２部で中和し、界面活性剤（ａ６）を得た。【００４３】
＜実施例７：界面活性剤（ａ７）の製造＞
撹拌機、温度計、圧力計、耐圧滴下ボンベ、減圧及び窒素導入ラインの付いた２Ｌオートクレーブ中に１，２−ドデカンジオール２０２部（１モル部）、水酸化カリウム１．４部を加え撹拌を開始し窒素封入し１３０℃に昇温した後、圧力−０．１ＭＰａＧで１時間脱水した。次いで１６０℃に昇温し、圧力０．３ＭＰａＧ以下でエチレンオキサイド７４８部（１７モル部）と１，２−プロピレンオキサイド４０６部（７モル部）の混合物を８時間かけて逐次滴下し、同温度で圧平衡になるまで１時間撹拌した。次いでエチレンオキサイド４４０部（１０モル部）を３時間かけて逐次滴下し、同温度で圧平衡になるまで１時間撹拌した。その後６０℃に冷却し、酢酸１．０部で中和し、界面活性剤（ａ７）を得た。【００４４】
＜実施例８：界面活性剤（ａ８）の製造＞
撹拌機、温度計、圧力計、耐圧滴下ボンベ、減圧及び窒素導入ラインの付いた２Ｌオートクレーブ中に１，２−ドデカンジオール２０２部（１モル部）、水酸化カリウム１．４部を加え撹拌を開始し窒素封入し１３０℃に昇温した後、圧力−０．１ＭＰａＧで１時間脱水した。次いで１６０℃に昇温し、圧力０．３ＭＰａＧ以下でエチレンオキサイド１７６０部（４０モル部）と１，２−プロピレンオキサイド８７０部（１５モル部）の混合物を８時間かけて逐次滴下し、同温度で圧平衡になるまで１時間撹拌した。次いでエチレンオキサイド４４０部（１０モル部）を３時間かけて逐次滴下し、同温度で圧平衡になるまで１時間撹拌した。その後６０℃に冷却し、酢酸１．０部で中和し、界面活性剤（ａ８）を得た。【００４５】
＜比較例１：比較用の界面活性剤（ａ’１）の製造＞
撹拌機、温度計、圧力計、耐圧滴下ボンベ、減圧及び窒素導入ラインの付いた２Ｌオートクレーブ中に１，２−ドデカンジオール２０２部（１モル部）、水酸化カリウム０．４３部を加え撹拌を開始し窒素封入し１３０℃に昇温した後、圧力−０．１ＭＰａＧで１時間脱水した。次いで１６０℃に昇温し、圧力０．３ＭＰａＧ以下でエチレンオキサイド１７６部（４モル部）を５時間かけて逐次滴下し、同温度で圧平衡になるまで１時間撹拌した。その後６０℃に冷却し、酢酸０．３２部で中和し、比較用の界面活性剤（ａ’１）を得た。【００４６】
＜比較例２：比較用の界面活性剤（ａ’２）の製造＞
撹拌機、温度計、圧力計、耐圧滴下ボンベ、減圧及び窒素導入ラインの付いた２Ｌオートクレーブ中にプロピレングリコール７６部（１モル部）、水酸化カリウム０．４３部を加え撹拌を開始し窒素封入し９０℃に昇温した後、圧力−０．１ＭＰａＧで１時間脱水した。次いで１６０℃に昇温し、圧力０．３ＭＰａＧ以下でエチレンオキサイド６６１部（１５モル部）を５時間かけて逐次滴下し、同温度で圧平衡になるまで１時間撹拌した。その後６０℃に冷却し、酢酸０．３２部で中和し、比較用の界面活性剤（ａ’２）を得た。【００４７】
＜比較例３：比較用の界面活性剤（ａ’３）の製造＞
撹拌機、温度計、圧力計、耐圧滴下ボンベ、減圧及び窒素導入ラインの付いた２Ｌオートクレーブ中に１，４−シクロヘキサンジメタノール１４４部（１モル部）、水酸化カリウム０．４３部を加え撹拌を開始し窒素封入し９０℃に昇温した後、圧力−０．１ＭＰａＧで１時間脱水した。次いで１６０℃に昇温し、圧力０．３ＭＰａＧ以下でエチレンオキサイド８８１部（２０モル部）を５時間かけて逐次滴下し、同温度で圧平衡になるまで１時間撹拌した。その後６０℃に冷却し、酢酸０．３２部で中和し、比較用の界面活性剤（ａ’３）を得た。【００４８】
実施例１〜８で得た界面活性剤（ａ１）〜（ａ８）及び比較例１〜３で得た比較用の界面活性剤（ａ’１）〜（ａ’３）について、以下の表面張力法で、ＣＭＣを評価した。結果を表１に示す。
２５℃にて任意の濃度の界面活性剤（ａ）水溶液の表面張力（ｍＮ／ｍ）を懸滴法（ペンダント・ドロップ法）にて測定し、横軸を界面活性剤（ａ）濃度（ｇ／Ｌ）、縦軸を表面張力としたグラフに、界面活性剤（ａ）濃度に対する表面張力（２５℃）の変化をプロットし、得られた表面張力曲線からＣＭＣ（単位：ｇ／Ｌ）を求めた。
なお、懸滴法による表面張力測定には、全自動界面張力計ＰＤ−Ｗ［協和界面科学（株）製］を用いた。
なお、上記の表面張力法において、界面活性剤（ａ）水溶液の濃度が０．３０ｇ／Ｌ以下の濃度において、ＣＭＣとなる濃度を認められなかった場合は、「０．３０＜」と記載した。【００４９】
＜製造例１：界面活性剤（ｂ１）の製造＞
撹拌機、温度計、圧力計、耐圧滴下ボンベ、減圧及び窒素導入ラインの付いた２Ｌオートクレーブ中にラウリルアルコール１８６部（１モル部）、水酸化カリウム０．２９部を加え撹拌を開始し窒素封入し１３０℃に昇温した後、圧力−０．１ＭＰａＧで１時間脱水した。次いで１６０℃に昇温し、圧力０．３ＭＰａＧ以下でエチレンオキサイド３９６部（９モル部）を５時間かけて逐次滴下し、同温度で圧平衡になるまで１時間撹拌した。その後６０℃に冷却し、酢酸０．２２部で中和し、界面活性剤（ｂ１）を得た。【００５０】
＜製造例２：界面活性剤（ｂ２）の製造＞
撹拌機、温度計、圧力計、耐圧滴下ボンベ、減圧及び窒素導入ラインの付いた２Ｌオートクレーブ中にミリスチルアルコール２１４部（１モル部）、水酸化カリウム０．６１部を加え撹拌を開始し窒素封入し１３０℃に昇温した後、圧力−０．１ＭＰａＧで１時間脱水した。次いで１６０℃に昇温し、圧力０．３ＭＰａＧ以下でエチレンオキサイド８３６部（１９モル部）を６時間かけて逐次滴下し、同温度で圧平衡になるまで１時間撹拌した。次いで１，２−プロピレンオキサイド１７４部（３モル部）を３時間かけて逐次滴下し、同温度で圧平衡になるまで１時間撹拌した。その後６０℃に冷却し、酢酸０．４６部で中和し、界面活性剤（ｂ２）を得た。【００５１】
＜製造例３：界面活性剤（ｂ３）の製造＞
撹拌機、温度計、圧力計、耐圧滴下ボンベ、減圧及び窒素導入ラインの付いた２Ｌオートクレーブ中にミリスチルアルコール２１４部（１モル部）、水酸化カリウム０．４１部を加え撹拌を開始し窒素封入し１３０℃に昇温した後、圧力−０．１ＭＰａＧで１時間脱水した。次いで１６０℃に昇温し、圧力０．３ＭＰａＧ以下でエチレンオキサイド２２０部（５モル部）と１，２−プロピレンオキサイド１７４部（３モル部）の混合物を５時間かけて逐次滴下し、同温度で圧平衡になるまで１時間撹拌した。次いでエチレンオキサイド２２０部（５モル部）を３時間かけて逐次滴下し、同温度で圧平衡になるまで１時間撹拌した。その後６０℃に冷却し、酢酸０．３１部で中和し、界面活性剤（ｂ３）を得た。【００５２】
＜製造例４：界面活性剤（ｂ４）の製造＞
撹拌機、温度計、圧力計、耐圧滴下ボンベ、減圧及び窒素導入ラインの付いた２Ｌオートクレーブ中にラウリン酸２００部（１モル部）、水酸化カリウム０．３０部を加え撹拌を開始し窒素封入し１３０℃に昇温した後、圧力−０．１ＭＰａＧで１時間脱水した。次いで１６０℃に昇温し、圧力０．３ＭＰａＧ以下でエチレンオキサイド３９６部（９モル部）を５時間かけて逐次滴下し、同温度で圧平衡になるまで１時間撹拌した。その後６０℃に冷却し、酢酸０．２２部で中和し、界面活性剤（ｂ４）を得た。【００５３】
＜実施例９〜２６及び比較例４〜１２＞
表１に記載の界面活性剤を、表１に記載の部数で配合し、均一に混合することで、実施例９〜２６の洗浄剤及び比較例４〜１２の比較用の洗浄剤を得た。
なお、表１中で使用した原料は以下の通りである。
・直鎖アルキルベンゼンスルホン酸ナトリウム：商品名「テイカパワーＬＮ２４５０」、テイカ（株）製
・ヤシ油脂肪酸ソルビタン：商品名「イオネットＳ−２０」、三洋化成工業（株）製
・ポリオキシエチレンヤシ油脂肪酸ソルビタン：商品名「イオネットＴ−２０−Ｃ」、三洋化成工業（株）製、１分子中のオキシエチレン基の数：２０個
また、表１中、ＥＯはエチレンオキシ基を表し、ＰＯはプロピレンオキシ基を表す。
また、「／」は、ＥＯ及びＰＯがランダム状に結合していることを表し、「−」は、ＥＯ及びＰＯがブロック状に結合していることを表す。【００５４】
実施例９〜２６で得られた洗浄剤及び比較例４〜１２で得られた比較用の洗浄剤について、下記の方法で、洗浄力及び流動性を評価した。【００５５】
＜洗浄力試験＞
洗浄試験には湿式人工汚染布［（財）洗濯科学協会製］を用いた。表１記載の洗浄液（各洗浄剤を０．２ｇ／Ｌの濃度となるように水で希釈した液）に、上記湿式人工汚染布１０枚を投入し、ターゴトメーター［（株）大栄科学精器製作所製］を用いて以下の条件で洗浄及びすすぎをした後、布を取り出し、ギヤーオーブン：ＧＰＳ−２２２［エスペック（株）製］を用いて５０℃で６０分間乾燥し、洗浄試験後試験布を得た。
次いで、分光式色差計：ＳｐｅｃｔｒｏＰｈｏｔｏｍｅｔｅｒ  ＳＤ５０００［日本電色工業（株）製］を使用して、洗浄試験前試験布（湿式人工汚染布）、洗浄試験後試験布及び標準白布［（財）洗濯科学協会製の清浄布］の５４０ｎｍの反射率を、試験布１枚ごとに表裏１個所ずつ計２個所（試験布１０枚で合計２０個所）測定し、平均値を求め、以下の式で洗浄率（％）を算出した。洗浄率が高いほど、優れた洗浄力であることを示す。
なお、本試験は、上記の通り、洗浄剤が低濃度となる条件（洗浄液に対する洗浄剤の濃度：０．２ｇ／Ｌ）で実施した。
［洗浄条件］
時間：１０分、温度：２５℃、回転速度：１００ｒｐｍ
［すすぎ条件］
時間：１分、温度：２５℃、回転速度：１００ｒｐｍ
洗浄率（％）＝［（ＲＷ−ＲＳ）／（ＲＩ−ＲＳ）］×１００  ・・・（式）
式中、ＲＩは標準白布の反射率、ＲＷは洗浄後試験布の反射率、ＲＳは洗浄前試験布の反射率を示す。【００５６】
＜流動性試験＞
各洗浄剤を透明のガラス瓶に入れ、４℃の恒温槽で２４時間放置した後、４℃の状態でガラス瓶を傾けて目視で観察し、下記の判定基準で評価した。
○：傾けると流動性がある
×：傾けても流動性がない【００５７】
【表１】
2019107127.tif 000002
【産業上の利用可能性】
【００５８】
本発明の界面活性剤（ａ）を含有する洗浄剤は、低濃度における洗浄力に優れ、洗浄剤として広く使用されるアニオン界面活性剤を含む場合でも優れた洗浄力を発揮し、衣料用洗浄剤として特に有用である。
【国際調査報告】
2019107127.tif 000003
2019107127.tif 000004
2019107127.tif 000005
2019107127.tif 000006